(57)【要約】【課題】本発明は、可動シンカー装置を備えるまたは備えないに係わらず、引き返し編成を使うことなく形成する踵部を備えるフットウェアの編成方法を提供する。【解決手段】２つの筒編地１ａ，１ｂについて針床上に並行した状態で公知の編出しを行い、その後２つの筒編地に給糸口８，９を往復させながら新たな編目を編成することを繰り返す。続いて、第２筒編地１ｂを左方に移動させて、ＦＢの編針ＦとＢＢの編針ｆに第１筒編地１ａの端部編目との重ね目２ｆ，２ｂをそれぞれ形成して、第３筒編地１ｃの編成を行う。重ね目３ｆ，３ｂを形成して筒径を減らすとともに、重ね目を含めた編目列に新たな編目を編成する。この減らし編成による接合位置が足甲側となり、踵側に向けたデザイン線６としてウエール方向に編目が繋がる。【選択図】図１
2016037678.tif 000002
【特許請求の範囲】
【請求項１】
少なくとも前後一対の針床を備えた横編機を用い、踵部を備えるフットウェアの編成方法において、
第１筒編地と第２筒編地の２つの筒編地を針床の長手方向に並べて編成する工程αと、
少なくともどちらか一方の筒編地を移動させることで、前後針床それぞれに２つの筒編地の編目による重ね目を設け、該重ね目を含めた筒編地を構成する編目に新たな編目を編成して２つの筒編地に変えて第３筒編地を形成する工程βと、
第３筒編地における前後針床それぞれの前記重ね目近傍の編目に対し、該編目の左右どちらか一方側の編目列を移動して第３筒編地内で重ね目を形成して筒径を減らすとともに、該重ね目を含めた第３筒編地を構成する編目に新たな編目を編成して接合することを繰り返し、足甲側から踵側に向けて編目がウエール方向に繋がるデザイン線を形成する工程γと、を備えることを特徴とするフットウェアの編成方法。
【請求項２】
前記デザイン線を形成時、該デザイン線を構成する編目列を含め、前記左右一方側の編目列をニット編成する領域Ｘと、左右両方側の編目列をニット編成する領域Ｙとの組み合わせで第３筒編地を形成することを特徴とする請求項１記載のフットウェアの編成方法。
【請求項３】
前記領域Ｘでのデザイン線の形成は、前記一方側の編目列を同一方向へ２回の移動を行い、移動方向側に形成する重ね目より手前側の編目列を1回目に移動し、該重ね目より続けて手前側にデザイン線のコース方向の編目列をとどめ、更に手前側の編目列に対し２回目の移動を行い、２つ目の重ね目を形成することを特徴とする請求項１または２記載のフットウェアの編成方法。
【請求項４】
前記第１筒編地と第２筒編地は、異なる筒径で形成することを特徴とする請求項１乃至３記載のフットウェアの編成方法。
【発明の詳細な説明】
【技術分野】
【０００１】
本発明は、踵部を備えるフットウェアの編成方法に関する。
【背景技術】
【０００２】
従来より、踵部を備えるフットウェアの一つとして靴下が挙げられる。丸編機や横編機等で編成され、履き口から爪先、或いはその逆の一方向に向けて筒状に編成しながら、踵部で足甲側の編成を一旦休止する方法で編成される。例えば、特許文献１では、横編機を用い、靴下の履き口から編出して爪先に向けて編成している。編成途中の踵部では足甲側の編成を一旦休止し、踵側のみ編み幅を徐々に減らし、続いて編み幅を徐々に増やす引き返し編成を行っている。
【先行技術文献】
【特許文献】
【０００３】
【特許文献１】特許３３３３３８４号公報
【発明の概要】
【発明が解決しようとする課題】
【０００４】
引返し編成では、編成しない編目が徐々に増えていく為、該編目が増えるほど新たな編目の形成時に編目の下がりが悪化する。その為、十分に踵部のウエール方向の編成を増やすことが出来ず、爪先側と履き口側の筒編地間の角度が１００度以上の靴下となってしまう。その結果、着用時に足甲側に編地が余り、足にフィットしていない為にズレ落ちやすい靴下となる。近年、横編機では歯口で編地を押える可動シンカー装置の改良等により引返し編成のウエール方向の編成を増やし、角度が略９０度の直角靴下と呼ばれるものも現れている。
【０００５】
本発明は、上記事情に鑑みてなされたものであり、横編機において可動シンカー装置を備えるまたは備えないに係わらず、引き返し編成を使うことなく形成する踵部を備えるフットウェアの編成方法を提供することにある。
【課題を解決するための手段】
【０００６】
本発明は、少なくとも前後一対の針床を備えた横編機を用い、踵部を備えるフットウェアの編成方法において、第１筒編地と第２筒編地の２つの筒編地を針床の長手方向に並べて編成する工程αと、少なくともどちらか一方の筒編地を移動させることで、前後針床それぞれに２つの筒編地の編目による重ね目を設け、該重ね目を含めた筒編地を構成する編目に新たな編目を編成して２つの筒編地に変えて第３筒編地を形成する工程βと、第３筒編地における前後針床それぞれの前記重ね目近傍の編目に対し、該編目の左右どちらか一方側の編目列を移動して第３筒編地内で重ね目を形成して筒径を減らすとともに、該重ね目を含めた第３筒編地を構成する編目に新たな編目を編成して接合することを繰り返し、足甲側から踵側に向けて編目がウエール方向に繋がるデザイン線を形成する工程γと、を備えることを特徴とする。
【０００７】
また本発明では、前記デザイン線を形成時、該デザイン線を構成する編目列を含め、前記左右一方側の編目列をニット編成する領域Ｘと、左右両方側の編目列をニット編成する領域Ｙとの組み合わせで第３筒編地を形成することを特徴とする。
【０００８】
さらに本発明では、前記領域Ｘでのデザイン線の形成は、前記一方側の編目列を同一方向へ２回の移動を行い、移動方向側に形成する重ね目より手前側の編目列を1回目に移動し、該重ね目より続けて手前側にデザイン線のコース方向の編目列をとどめ、更に手前側の編目列に対し２回目の移動を行い、２つ目の重ね目を形成することを特徴とする。
【０００９】
また本発明では、前記第１筒編地と第２筒編地は、異なる筒径で形成することを特徴とする。２つの筒編地の筒径が異なることは、当然、接合する編目の数が合わない為、編目が多い筒編地側では重ね目を形成して差分を減らしたり、接合しない編目を設定するなどして編目が少ない筒編地側の編目数に合わす編成を行う。
【発明の効果】
【００１０】
本発明によれば、引き返し編成を行なうことなく２つの筒編地を接合する為、特に可動シンカー装置がなくても２つの筒編地間の踵部の編成が容易に行える。減らし編成では、筒編地の接合の為に重ね目を形成した直後に新たな編目を形成する事で、編地の下がりがよく編成し易い。例えば９０度やそれ以下の角度に編成する事も容易である。
【００１１】
また本発明によれば、接合箇所に現れるデザイン線を挟んで左右一方側の編目列をニット編成で増やさず接合する筒編地の領域Ｘの編成と、ニットで増し目しながら編目数を調整して接合する筒編地の領域Ｙの編成とを組合せる。その結果、筒編地間の角度や踵部の大きさ（編目数）を簡単に調整することができる。
【００１２】
また本発明によれば、重ね目を形成する際に、同じ方向への重ね目形成の為、移動させる編目を１回で対向する針床に預け、ラッキングも同方向の為、順次、該編目を移し戻すことができる為に編成効率が良い。
【００１３】
本発明によれば、足甲側と足首側の筒径を変更する事で、装着した際に足の形状に沿うフットウェアの形状を得ることができる。
【図面の簡単な説明】
【００１４】
【図１】本発明の実施例であるフットウェアとしてのサポーターの概略図である。
【図２】本発明の実施例であるサポーターの編成工程を示す模式図である。
【図３】本発明の実施例であるサポーターの編成工程の前半部分の編成図である。
【図４】本発明の実施例であるサポーターの編成工程の後半部分の編成図である。
【図５】本発明の図１で示したサポーターとは別のフットウェアを示す概略図である。
【発明を実施するための形態】
【００１５】
以下、図１〜図４を用いて本発明の一実施例であるフットウェアとしての踵部を備えるサポーター１とその編成方法を説明する。本実施例で編成に使用する横編機は、前後一対の針床を備えた二枚ベッド機で、各針床間で目移しが可能である。更にスライダーに備えるタングに編目を保持できる複合針（例えば、特許第２９４６３２３号公報を参照）を使用しており、空針がなくても編目の目移しが行える。編成に使用する横編機は四枚ベッドでもよく、横編機に備える編針はべら針でもよい。また説明の便宜の為、編針の数や接合の為の減らし回数は実際の編成よりも少なくしている。図２、図５に示す矢印は編目の向きを示し、編地内に示す鎖線は第１〜第３の各筒編地の境界を示す。また、図２（ｃ）のみ、後述する第３筒編地内に斜線を施してニット編成で編目を形成していることを示し、その編成に関連し、太線を用いて領域の区分けを示している。
【００１６】
図３、図４では、図中左側の数字は編成ステップ（Ｓ）を示し、折れ線矢印は編目の移動経路を示す。ＦＢは前針床を、ＢＢは後針床を示す。大文字のＡ〜ＭはＦＢの編針を、小文字のａ〜ｍはＢＢの編針を示す。また、黒丸印はその編成ステップで編成される編目を、白丸印はその編成ステップの編成に関係せず編針に係止されたままの編目を、２重の丸印は重ね目を、三角印は給糸口を示す。
【実施例１】
【００１７】
図１は、サポーター１の概略図である。紙面右側が爪先側の開口部となり、紙面上側が履き口側の開口部となる。踵部に装着するサポーター１は、デザイン線６が足甲側から踵側に向けて編目がウエール方向に繋がり、２つの筒編地１ａ，１ｂは、各ウエール方向に連続した第３筒編地１ｃ内でデザイン線６により繋がる。つまりデザイン線６の両側端部で２つの筒編地１ａ，１ｂの減らし編成を行う結果、重ね目が境界線として現れ、その重ね目とその間の編目列がウエール方向に繋がる事で、デザイン線６が形成される。そのため、線の幅や角度、形成位置は、減らし編成時の重ね目の形成箇所を移動させるだけで簡単に変更できる。このデザイン線６は、図中の矢印で示すように、２つの筒編地１ａ，１ｂの編目とは向きが異なる。
【００１８】
サポーター１は履き口側と爪先側に開口しており、それらの開口端が編出しとなる。伏目処理を行っていない為に適度な伸びが得られ、開口端に続けて２ｘ２リブ組織部１１を付加することで、更に足にフィットし易い。また、リブ以外の第３筒編地１ｃとなる天竺組織部１２の領域をみれば、デザイン線６の終端部からの爪先側の編目数（距離）は、履き口側の編目数（距離)と比較すると長くなっており、また面積も広い。天竺組織部１２の編成をウエール方向に増やすことで、編目が増えて踵部の余裕に繋がる。
【００１９】
実施例１では、デザイン線６とリブ組織１１間の天竺組織部１２の形成状態で解るように、デザイン線６の始端部から中程までは、爪先側が２コースに１回の減らし編成を行いながらニット編成を行って略４５度の角度を出し、履き口側では、ニット編成を行わずに減らし編成を行って直交に近い角度で接合している。また中程以降は、爪先側と履き口側の両側でニット編成を行い、共に略４５度の角度を出し、踵部を形成している。更に、爪先側の筒編地の筒径が履き口側の筒編地よりも大きくし、足の形状に合わしている。減らし編成の頻度（回数）を調整する事で異なる筒径を接合でき、踵の形状にあった空間を設けることで踵に装着した際にフィット性の高いサポーター１が形成できる。
【００２０】
図２は、サポーター１の編成工程を示す模式図である。図２（ａ）では、第１筒編地１ａと第２筒編地１ｂの２つの筒編地１ａ，１ｂを針床上に並べて形成し、図２（ｂ）では、２つの筒編地１ａ，１ｂを接合させて１つの第３筒編地１ｃとし、開口部を接合しながら編目を減らして踵部を形成する。図２（ｃ）では、接合を終えた２つの筒編地間には、完成後のサポーター１の足甲側から踵側に向かうウエール方向の編目がデザイン線６として形成される。
【００２１】
図２（ｃ）では、デザイン線６に近接し斜線で示すニット編成による増し目７を太線で区分けした領域を示す。デザイン線６の一方側に増し目７を形成する領域Ｘと両側に形成する領域Ｙの編成を組合せることで、筒編地間の角度や、踵部の余裕に繋がる編目の増減を調整する事ができる。なお、領域Ｙの編成コースが多くなれば、筒編地間の角度が狭くなる。編成コースが増えることで筒編地に形成されるデザイン線６との接合部が立ってくるからである。おおよそ、２コースのニット編成に１回の減らし編成を左右両側から行えば、合わせて９０度に近い角度が形成でき、３コースに１回だとさらに角度を下げる事ができる。更にそれらに対し、４コースに1回等の編成を組合せることで筒編地間の角度の微調整も可能となる。本実施例１では、領域Ｘと領域Ｙが各1箇所であるが、複数箇所に用いてもよい。
【００２２】
図３、図４は、サポーター１の編成図である。以下、図３、図４で示す編成ステップＳ１〜Ｓ１７について説明する。
【００２３】
図３のＳ１は、第１筒編地１ａと第２筒編地１ｂの２つの筒編地１ａ，１ｂの状態を示す。針床上に並んだ２つの筒編地１ａ，１ｂの第１筒編地１ａのみ、給糸口８を往復させてＢＢの編針ａ〜ｆ、ＦＢの編針Ｆ〜Ａに新たな編目を編成する。図示はしていないが、２つの筒編地１ａ，１ｂともに公知の編出しを行っており、その後２つの筒編地１ａ，１ｂに給糸口８，９を往復させながら２Ｘ２リブ組織で新たな編目を編成することを繰り返す。２つの筒編地１ａ，１ｂを並行して編成する為、編成時間の短縮にも繋がる。実施例１では、第２筒編地１ｂに対し、第１筒編地１ａのウエール数を多く編成している（図１参照）。Ｓ１では、２つの筒編地１ａ，１ｂは別の給糸口で編成するが、１つの給糸口で順次編成しても構わない。２つの筒編地１ａ，１ｂの編出し箇所がサポーター１の開口端となり、伏目処理や縫製を行っていない為に、よく伸びて見栄えが同じ端部となる。
【００２４】
Ｓ２では、第２筒編地１ｂを左方に２針分移動させて、ＦＢの編針ＦとＢＢの編針ｆに第１筒編地１ａの端部編目との重ね目２ｆ，２ｂをそれぞれ形成する。この接合位置が足甲側となり、踵側に向けたデザイン線６としてウエール方向に編目が繋がる。重ね目は、第１筒編地１ａを右方に移動して形成したり、重ね目を２目ずつ形成してもよく、更にＦＢとＢＢの重ね目の位置をずらしてもよい。
【００２５】
Ｓ３では、給糸口８を用い往路編成として右方向に移動し、ＢＢの編針ａ〜ｋに係止する編目に続けて新たな編目を編成し、更に復路編成として左方向に移動し、ＦＢの編針Ｋ〜Ａに係止する編目に続けて新たな編目を編成する。Ｓ１での２つの筒編地１ａ，１ｂに変えて第３筒編地１ｃを形成することになる。また以降に行う周回やＣ字状の編成も第３筒編地１ｃの編成となる。Ｓ２で形成した重ね目２ｆ，２ｂの近傍の編目として、ＦＢの編針Ｄに係止する編目を編目４ｆ、ＢＢの編針ｄに係止する編目を編目４ｂと定義する。
【００２６】
Ｓ４では、一方向への１回目の移動として編目４ｆ，４ｂに向けて、右方側の編目列となるＦＢの編針Ｅ〜Ｋに係止する編目と、ＢＢの編針ｅ〜ｋに係止する編目を移動して、ＦＢの編針Ｄに重ね目３ｆと、ＢＢの編針ｄに重ね目３ｂを形成する。Ｓ５では、Ｓ４に続けて同一方向への２回目の移動を行う。右方側の編目列となるＦＢの編針Ｇ〜Ｊに係止する編目と、ＢＢの編針ｇ〜ｊに係止する編目を移動して、ＦＢの編針Ｆに重ね目５ｆと、ＢＢの編針ｄに重ね目５ｂを形成する。この時、重ね目３ｆ，３ｂより続けて移動方向手前側にデザイン線６のコース方向の編目列となるＦＢの編針Ｄ〜Ｆに係止する編目と、ＢＢの編針ｄ〜ｆに係止する編目はとどめている。Ｓ４とＳ５は、同じ方向への重ね目形成の為、移動させる編目を１回で対向する針床に預け、ラッキングも同方向の為、順次、該編目を移し戻すことができる為に編成効率が良い。
【００２７】
Ｓ６では、給糸口８を往復させデザイン線６となるＦＢの編針Ｄ〜Ｆ、ＢＢの編針ｄ〜ｆに係止する編目と重ね目３ｆ，３ｂ，５ｆ，５ｂに新たな編目を形成するとともに、一方側の編目列となるＦＢの編針Ｇ〜Ｉ、ＢＢの編針ｇ〜ｉに係止する編目にも新たな編目を形成する。つまり、左右一方側の編目列をニット編成する領域Ｘの編成となる。
【００２８】
Ｓ７では、ＦＢの編針Ｃに係止する編目に向けて右方側の編目列となるＦＢの編針Ｄ〜Ｉに係止する編目と、ＢＢの編針ｃに係止する編目に向けて右方側の編目列となるＢＢの編針ｄ〜ｉに係止する編目に対して１回目の移動を行う。そしてＦＢの編針ＣとＢＢの編針ｃに重ね目３ｆ，３ｂをそれぞれ形成する。Ｓ８では、Ｓ７に続けて同一方向への２回目の移動を行う。右方側の編目列となるＦＢの編針Ｆ〜Ｈに係止する編目と、ＢＢの編針ｆ〜ｈに係止する編目を移動して、ＦＢの編針ＥとＢＢの編針ｅに２つ目の重ね目５ｆ，５ｂをそれぞれ形成する。
【００２９】
Ｓ９では、給糸口８を往復させデザイン線６となるＦＢの編針Ｃ〜Ｅに係止する編目と重ね目と、ＢＢの編針ｃ〜ｅに係止する編目と重ね目に新たな編目を形成する。また一方側の編目列となるＦＢの編針Ｇに係止する編目、ＢＢの編針ｇに係止する編目にも新たな編目を形成する。つまり、領域Ｘの編成となる。Ｓ１０では、デザイン線６に左右両側から編目列を移動させて接合させる様に、ＦＢの編針Ａ，Ｂに係止する編目を編針Ｂ，Ｃに、ＢＢの編針ａ，ｂに係止する編目を編針ｂ，ｃに移動し、ＦＢの編針ＣとＢＢの編針ｃに重ね目３ｆ，３ｂを形成する。また、ＦＢの編針Ｆ，Ｇに係止する編目を編針Ｅ，Ｆに、ＢＢの編針ｆ，ｇに係止する編目を編針ｅ，ｆに移動し、ＦＢの編針ＥとＢＢの編針ｅに重ね目５ｆ，５ｂを形成する。
【００３０】
Ｓ１１では、給糸口８を往復させデザイン線６となるＦＢの編針Ｃ〜Ｅに係止する編目と重ね目と、ＢＢの編針ｃ〜ｅに係止する編目と重ね目に新たな編目を形成するとともに、各重ね目に対して両方側の編目列となるＦＢの編針Ｂ，Ｆと、ＢＢの編針ｂ，ｆに係止する編目にも新たな編目を形成する。つまり、左右両側の編目列をニット編成する領域Ｙの編成となる。Ｓ１２では、デザイン線６の左右両側から編目列を移動させて接合させる様に、ＦＢの編針Ｂに係止する編目を編針Ｃに、ＢＢの編針ｂに係止する編目を編針ｃに移動し、ＦＢの編針ＣとＢＢの編針ｃに重ね目３ｆ，３ｂを形成する。また、ＦＢの編針Ｆに係止する編目を編針Ｅに、ＢＢの編針ｆに係止する編目を編針ｅに移動し、ＦＢの編針ＥとＢＢの編針ｅに重ね目５ｆ，５ｂを形成する。
【００３１】
Ｓ１３では、給糸口８を往復させデザイン線６となるＦＢの編針Ｃ〜Ｅに係止する編目と重ね目と、ＢＢの編針ｃ〜ｅに係止する編目と重ね目に新たな編目を形成する。つまり領域Ｙの編成となる。Ｓ１４では、ＦＢの編針Ｅに係止する編目を編針Ｄに、ＢＢの編針ｅに係止する編目を編針ｄに移動し、それぞれの編針Ｄ，ｄに重ね目５ｆ，５ｂを形成する。Ｓ１５では、ＦＢの編針Ｃ，Ｄに係止する編目と重ね目、ＢＢの編針ｃ，ｄに係止する編目と重ね目に新たな編目を形成する。更にＳ１６では、ＦＢの編針Ｃに係止する編目と、ＢＢの編針ｃに係止する編目をＦＢの編針Ｄに係止する編目と、ＢＢの編針ｄに係止する編目に重ね、それぞれの重ね目に新たな編目を形成する。Ｓ１７では、ＦＢの編針Ｄに係止する編目にＢＢの編針ｄに係止する編目を移動して重ね目を形成し、重ね目に新たな編目を形成する。Ｓ２で足甲側をスタートしたデザイン線６の編目はＳ１７で閉じられた編地端部の踵部に至る。
【実施例２】
【００３２】
本実施例１では、サポーター１を説明したが、以下、他の実施例２として図５を用いて説明する。（ａ）は、踵に相当する箇所に開口部を設ける例である。図４のＳ１１の状態から、ＦＢとＢＢに係止する編目を隣接する編目に伏目処理で周回して解れ止めを行ったり、針床から目外ししてその箇所を縫製すればよい。（ｂ）は、一方の筒編地１ａの編出しの際に、リブ編など前後に繋がりのある編成を行った後に筒編地１ａを編成して先丸靴下を形成する例である。また、爪先の編地内部に足指用の仕切りを設けたり、指袋を５本備えた５本指靴下など、編出し後にそれらを形成した後、その筒編地１ａを９０度回転させる回し込み（特公平７−８１２２８参照）を行えばサポーター１として示した実施例１と同様に編成する事ができる。
【００３３】
なお各実施例では、２つの筒編地１ａ，１ｂは、長さや筒径、筒編地間の角度などが自由に設定でき、それぞれの筒編地が単独で成型する事も可能である。編糸についても、弾性糸や非弾性糸、素材や色違い等、フットウェアに合わせて選択することができる。また実施例１では、デザイン線６の形成の際に同一のコースで左右の２箇所に重ね目を形成したが、左右どちらか１箇所に形成してもよく、その２つを組合せてもよい。
【符号の説明】
【００３４】
１  フットウェア
１ａ  第１筒編地、１ｂ  第２筒編地、１ｃ  第３筒編地
２，３，５  重ね目
６  デザイン線
８，９  給糸口
【図１】
2016037678.tif 000003
【図２】
2016037678.tif 000004
【図３】
2016037678.tif 000005
【図４】
2016037678.tif 000006
【図５】
2016037678.tif 000007